(57)【要約】【課題】各種工具を必要としないでポンチを確実に取り付けすることができ、かつ取付状態を容易に確認することができる、ポンチ取付構造を提供する。【解決手段】ポンチ嵌挿孔２Ａを有するリテーナ２と、リテーナ２に跨ってスライド可能なスライド部材３と、スライド部材３を付勢する付勢手段４とを備える。スライド部材３にはポンチ嵌挿孔２Ａに連通するポンチ挿通孔３Ａが孔周縁部３Ｂにより画成されている。ポンチ挿通孔３Ａ及びポンチ嵌挿孔２Ａにポンチ１が嵌め込まれた状態において、孔周縁部３Ｂの係止部３Ｃがポンチ１の係合凹部１Ａに嵌め込まれることで、ポンチ１がリテーナ２に保持される。【選択図】図３
2009034703.tif 000002
【特許請求の範囲】
【請求項１】
ポンチ嵌挿孔を有するリテーナと、該リテーナに跨ってスライド可能に取り付けられるスライド部材と、が備えられ、
上記スライド部材にはポンチ嵌挿孔に連通するポンチ挿通孔が孔周縁部により画成され、
上記ポンチ挿通孔及び上記ポンチ嵌挿孔にポンチが嵌め込まれた状態で、上記孔周縁部の係止部がポンチの係合凹部に嵌め込まれることで、ポンチが保持されることを特徴とする、ポンチ取付構造。
【請求項２】
前記スライド部材は断面コ字状でありスライド方向に延設されてなることを特徴とする、請求項１に記載のポンチ取付構造。
【請求項３】
前記スライド部材にはスライド方向に沿う溝部がリテーナ側に設けられ、
上記溝部には付勢手段が収容され、
上記付勢手段により上記スライド部材がスライド方向と逆向きに付勢されていることを特徴とする、請求項１に記載のポンチ取付構造。
【請求項４】
前記付勢手段は圧縮スプリングコイルであり、該圧縮スプリングコイルの一端がリテーナに取り付けられたストッパー片に当接し、該圧縮スプリングコイルの他端がスライド部材に当接して、上記圧縮スプリングコイルにより上記スライド部材がスライド方向と逆向きに付勢されていることを特徴とする、請求項３に記載のポンチ取付構造。
【発明の詳細な説明】
【技術分野】
【０００１】
本発明は、ポンチをリテーナに取り付けるポンチ取付構造に関する。
【背景技術】
【０００２】
従来、シートやフィルム状の材料を打ち抜いたり穴抜きしたりするため、ポンチが使用されている。このポンチをポンチ支持部材、いわゆるリテーナに取り付ける装置として様々なものが開発されている。その中でも、ポンチ取り付けや取り外しの際にリテーナを取り外す必要のないポンチ取付装置が考えられている（例えば特許文献１）。
【０００３】
特許文献１に開示されているポンチ取付装置について説明する。図５は特許文献１に開示された従来のポンチ取付装置５０の断面を示し、（Ａ）はポンチ取り外し可能状態を、（Ｂ）はポンチ取付状態を示している。図中、ポンチ５５の取り出し方向を＋ｙ方向とし、それに対して直交する２方向を＋ｘ方向、＋ｚ方向としている。
【０００４】
図５に示すリテーナ５１は、打ち抜き装置や穴抜き装置（何れも図示せず）に固定されたダイセット６０に、ノックピン（図示せず）で位置決めされ、取付ボルト（図示せず）で固定されることで、ポンチ５５が打ち抜き装置や穴抜き装置に取り付けられる。図示するように、リテーナ５１にはポンチ嵌挿孔５２と直交するように溝部５３が設けられ、この溝部５３にスライドブロック５４が配設されている。スライドブロック５４がポンチ５５の平取部５５Ａに係合することでポンチ５５が係止される。スライドブロック５４のポンチ嵌挿孔５２側には係合凸部５４Ａが設けられ、係合凸部５４Ａにはテーパ部５４Ｂが設けられている。スライドブロック５４のリテーナ側には凹部５４Ｃが設けられている。凹部５４Ｃに圧縮コイルスプリング５６とスプリングピン５７の一端部とが差し込まれている。凹部５４Ｃに設けられたピン孔５８にスプリングピン５７の他端部が嵌合しているので、スライドブロック５４がポンチ側に付勢されている。なお、溝部５３においてポンチ嵌挿孔５２と逆側に止め螺子５９が取り付けられていることで、止め螺子５９がスライドブロック５４を係止している。
【０００５】
リテーナ５１にポンチ５５を取り付ける場合、作業者はポンチ５５をリテーナ５１のポンチ嵌挿孔５２に押し込む。すると、ポンチ基端部５５Ｂがスライドブロック５４の先端の係合凸部５４Ａに接触する。ポンチ５５が押し込まれる力はスライドブロック５４を−ｘ方向にスライドさせ、ポンチ基端部５５Ｂがダイセット６０に当接する。このとき、ポンチ５５の平取部５５Ａにスライドブロック５４の係合凸部５４Ｂが係合していなければ（図５（Ａ）の状態）、作業者はポンチ５５を軸回りに回転させることで、図５（Ｂ）に示すように係合凸部５４Ａと平取部５５Ａとが係合する。
【０００６】
ポンチ５５をリテーナ５１から取り外す場合、作業者はポンチ５５を軸回りに略９０度回すと、図５（Ｂ）から図５（Ａ）の状態となり、スライドブロック５４の係合凸部５４Ａがポンチ５５の平取部５５Ａから外れてポンチ５５をリテーナ５１から引き抜くことができる。
【０００７】
【特許文献１】実開昭６３年１５７４３１号公報
【発明の開示】
【発明が解決しようとする課題】
【０００８】
図５に示すポンチ取付装置５０では、確かにポンチ５５を交換する際レンチなどの一般的な工具や専用工具を使用する必要がない。しかしながら、ポンチ５５の平取部５５Ａがスライドブロック５４と係合する部分は外部から見えない。そのため、ポンチ５５が確実に取り付けられていることを作業者は外部から確認することができない。
【０００９】
係合凸部５４Ａが平取部５５Ａに係合することでポンチ５５がリテーナ５１に取り付けられるため、ポンチ５５がリテーナ５１に安定に取り付けられていない場合も生じる。また、スライドブロック５４はリテーナ５１のダイセット側の溝部５３に嵌め込まれているため、ポンチ取付装置５０をダイセット６０から取り外すと、必然的にスライドブロック５４がリテーナ５１から外れてしまう。
【００１０】
本発明は、上記課題に鑑み、各種工具を用いないでポンチを確実に取り付けることができ、しかも取付状態を容易に確認することができる、ポンチ取付構造を提供することを目的とする。
【００１１】
本発明は、上記目的を達成するために、ポンチ嵌挿孔を有するリテーナと、リテーナに跨ってスライド可能に取り付けられるスライド部材と、が備えられ、スライド部材にはポンチ嵌挿孔に連通するポンチ挿通孔が孔周縁部により画成され、ポンチ挿通孔及びポンチ嵌挿孔にポンチが嵌め込まれた状態で、孔周縁部の係止部がポンチの係合凹部に嵌め込まれることで、ポンチが保持されることを特徴とする。この構成により、スライド部材をスライドさせることで、スライド部材のポンチ挿通孔とリテーナのポンチ嵌挿孔とが連通し、ポンチをポンチ挿通孔からポンチ嵌挿孔に対して押し込み、孔周縁部の係止部がポンチの係合凹部に嵌め込まれポンチがリテーナに保持される。
【００１２】
スライド部材は断面コ字状でありスライド方向に延設されてなることが好ましい。スライド部材がリテーナにスライド可能な状態で確実にかつ安定に取り付けられることができる。
【００１３】
好ましくは、スライド部材にはスライド方向に沿う溝部がリテーナ側に設けられ、溝部には付勢手段が収容され、付勢手段によりスライド部材がスライド方向とは逆向きに付勢されている。この構成により、スライド部材が常に付勢手段で付勢されているため、孔周縁部の係止部がポンチの係合凹部に嵌め込まれてポンチがリテーナに保持される。
【００１４】
好ましくは、付勢手段は圧縮スプリングコイルであり、圧縮スプリングコイルの一端がリテーナに取り付けられたストッパー片に当接し、圧縮スプリングコイルの他端がスライド部材に当接して、圧縮スプリングコイルによりスライド部材がスライド可能方向と逆向きに付勢されている。スライド部材の溝部に圧縮コイルスプリングを収容するという簡単な構成で付勢手段を実現することができる。
【発明の効果】
【００１５】
本発明のポンチ取付構造によれば、ポンチをリテーナに取り付ける場合、スライド部材をスライドさせることで、スライド部材のポンチ挿通孔とリテーナのポンチ嵌挿孔とが連通し、ポンチをポンチ挿通孔からポンチ嵌挿孔へ押し込むことができる。その後スライド部材が付勢により元に戻ることで、孔周縁部の係止部がポンチの係合凹部に嵌め込まれ、ポンチがリテーナに保持される。本発明のポンチ取付構造では、ポンチのリテーナへの取付状態、即ち、スライド部材の孔周縁部がポンチを囲みかつ孔周縁部の係止部がポンチの係合凹部に嵌っている状態を容易に外部から確認することができる。
【発明を実施するための最良の形態】
【００１６】
以下、添付図面を参照しながら本発明の実施形態を説明する。
図１〜図３は実施形態に係るポンチ取付構造を示し、図１は平面図、図２は側面図、図３はＸ１−Ｘ２線に沿う部分断面図である。何れもポンチ１が取り付けられている状態を示している。図４はポンチ１を取り外し可能な状態におけるＸ１−Ｘ２線に沿う断面図である。
【００１７】
この実施形態に係るポンチ取付構造では、ポンチ嵌挿孔２Ａを有するリテーナ２と、リテーナ２に跨ってスライド可能に取り付けられるスライド部材３と、スライド部材３をスライド方向とは逆向きに付勢する付勢手段４とが備えられる。スライド部材３にはポンチ嵌挿孔２Ａに連通するポンチ挿通孔３Ａが孔周縁部３Ｂにより画成される。ポンチ挿通孔３Ａ及びポンチ嵌挿孔２Ａにポンチ１が嵌め込まれた状態において、孔周縁部３Ｂの係止部３Ｃがポンチ１の係合凹部１Ａに嵌め込まれることで、ポンチ１がリテーナ２に保持される。説明上、付勢手段４の付勢に抗してスライド部材３をスライドさせる方向を＋Ｘ方向とし、ポンチ１が引き抜かれる方向を＋Ｙ方向と、これらの何れにも直交する方向を＋Ｚ方向としている。
【００１８】
ポンチ取付構造の具体的な構成についてさらに説明する。
ポンチ支持部材であるリテーナ２について説明する。リテーナ２は抜き打ち装置や穴抜き装置などの各種装置に取り付けられたダイセット（図示せず）に取り付けられ、各種装置にポンチ１を装着するものである。リテーナ２は、図２に示すようにスライド部材３のスライド方向と直交する外方向（±Ｚ方向）にそれぞれ延設された鍔部２Ｂ，２Ｂを有し、鍔部２Ｂ，２Ｂによってスライド部材３に対し摺動可能に係合している。リテーナ２には、図３及び図４に示すようにポンチ嵌挿孔２Ａが備えられ、図１に示すようにポンチ嵌挿孔２Ａを挟んで斜めに対向する位置に取付ボルト孔２Ｃ，２Ｃが設けられている。取付ボルト孔２Ｃ，２Ｃは、取付ボルト５の頭部５Ａがリテーナ２の表面から突出しないよう孔の大きさが設定されている。
【００１９】
スライド部材３は、図２に示すように、プレート部３Ｄと一対の側部３Ｅ，３Ｅと爪部３Ｆとで断面「コ」字状をなし、スライド方向に延設されて成る。スライド部材３は、一対の側部３Ｅ，３Ｅでリテーナ２に跨り、鍔部２Ｂと爪部３Ｆとが噛み合ってリテーナ２から外れないで摺動可能に取り付けられている。スライド部材３の略中心にはリテーナ２のポンチ嵌挿孔２Ａに連通するようにポンチ挿通孔３Ａが孔周縁部３Ｂにより画成されている。この孔周縁部３Ｂには係止部３Ｃがポンチ挿通孔３Ｃに一部張り出すように設けられている。例えば、図１に示すように、ポンチ挿通孔３Ａの半分は断面半円形状であり、他の半分は矩形状であってもよい。
【００２０】
スライド部材３のリテーナ２側には、図３及び図４に示すように、溝部６がスライド方向に沿って設けられている。リテーナ２のＸ方向の側面には、ストッパー片８が取付ボルト７で取り付けられている。このストッパー片８の先端部で、溝部６のスライド方向側の一端が塞がれている。スライド部材３の溝部６には、付勢手段として圧縮スプリングコイル４が収容され、圧縮スプリングコイル４の一端がストッパー片８の一部に当接し、他端がスライド部材３に当接している。これで、スライド部材３は常にスライド方向と逆方向（−Ｘ方向）に常に付勢されている。
【００２１】
ポンチ取付構造によるポンチ１の取り付け及び取り外し方法について説明する。
ポンチ１をリテーナ２に取り付ける場合を説明する。作業者が手でスライド部材３を＋Ｘ方向に付勢手段４の付勢に逆らってスライドさせる。すると、ポンチ挿通孔３Ａにおいて係止部３Ｃを形成していない側の孔周縁部３Ｂがポンチ嵌挿孔２Ａと連通する。この状態で、ポンチ１をポンチ挿通孔３Ａからポンチ嵌挿孔２Ａに押し込んで嵌め込む（図４参照）。その後、作業者がスライド部材３から手を放す。すると、圧縮スプリングコイル４による付勢力でスライド部材３が−Ｘ方向にスライドし、スライド部材３の係止部３Ｃがポンチ１の側部の係止凹部１Ａに嵌り込み、スライド部材３が常に−Ｘ方向に付勢された状態となる（図３参照）。
【００２２】
次に、ポンチ１をリテーナ２から取り外す場合を説明する。図３に示す状態で作業者が手でスライド部材３を＋Ｘ方向にスライドさせ、ポンチ挿通孔３Ａにおいて係止部３Ｃを形成していない側の孔周縁部３Ｂがポンチ嵌挿孔２Ａと連通する（図４参照）。この状態で、ポンチ挿通孔３Ａを経由してポンチ嵌挿孔２Ａからポンチ１を引き抜くことで取り外すことができる。
【００２３】
本実施形態のポンチ取付構造では、スライド部材３にポンチ挿通孔３Ａを孔周縁部３Ｂにより画成しているため、ポンチ挿通孔３Ａ及びポンチ嵌挿孔２Ａに押し込まれたポンチ１は、孔周縁部３Ｂで囲まれた状態で、孔周縁部３Ｂの係止部３Ｃがポンチ側部の係止凹部１Ａに嵌め込まれる。スライド部材３におけるポンチ挿入側に孔周縁部３Ｂが設けられているので、係止部３Ｃのポンチ１への嵌め合いが容易に目視で確認することができる。
【００２４】
図５に示す従来のポンチ取付装置５０におけるスライドブロック５４とは異なり、スライド部材３がリテーナ２に覆い被さるように配設されているため、スライド部材３が安定して摺動することになる。またポンチ作業を行う場合でもポンチ１がスライド部材３及びリテーナ２に確実に保持されているため、穴抜きや打ち抜きの品質にバラツキが生じ難くなり、精度が向上する。
【００２５】
以上実施形態について説明したが、本発明の範囲内で適宜変更して実施することができることはいうまでもない。例えば、各部材の形状や大きさは、図示の場合に限定されず、ポンチ取付構造が適用される打ち抜き装置や穴抜き装置に応じて適宜変更して実施できることは言うまでもない。
【図面の簡単な説明】
【００２６】
【図１】実施形態に係るポンチ取付構造の平面図である。
【図２】実施形態に係るポンチ取付構造の側面図である。
【図３】実施形態に係るポンチ取付構造のＸ１−Ｘ２線に沿う断面図である。
【図４】ポンチ取り外し可能な状態におけるＸ１−Ｘ２線に沿う断面図である。
【図５】従来のポンチ取付装置の断面図であり、（Ａ）はポンチ取り外し可能状態を、（Ｂ）はポンチ取付状態を示している。
【符号の説明】
【００２７】
１：ポンチ
１Ａ：係合凹部
２：リテーナ
２Ａ：ポンチ嵌挿孔
２Ｂ：鍔部
２Ｃ：取付ボルト孔
３：スライド部材
３Ａ：ポンチ挿通孔
３Ｂ：孔周縁部
３Ｃ：係止部
３Ｄ：プレート部
３Ｅ：側部
３Ｆ：爪部
４：付勢手段（圧縮コイルスプリング）
５，７：取付ボルト
５Ａ：頭部
６：溝部
８：ストッパー片
【図１】
2009034703.tif 000003
【図２】
2009034703.tif 000004
【図３】
2009034703.tif 000005
【図４】
2009034703.tif 000006
【図５】
2009034703.tif 000007